【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
方法であって、
コンピューティング・デバイスのタッチ・スクリーン・ディスプレイにメッセージング・グラフィカル・ユーザ・インターフェースを提供する工程であって、該メッセージング・グラフィカル・ユーザ・インターフェースは、ユーザと１人または複数の共同ユーザとの間で交換される複数の電子メッセージを含む通信スレッドを含む、前記提供する工程と、
該コンピューティング・デバイスの少なくとも１つのプロセッサが、カメラ・ファインダー入力コントロールの選択を検出する工程と、
該カメラ・ファインダー入力コントロールの選択の該検出に応答して、該メッセージング・グラフィカル・ユーザ・インターフェースにおいて前記コンピューティング・デバイスのカメラからのライブ・データ・ストリームを提供するカメラ・ファインダーを提供する工程と、
該コンピューティング・デバイスの該少なくとも１つのプロセッサが、該カメラ・ファインダーに対する第１のタイプのユーザ・インタラクションを検出する工程と、
検出された前記第１のタイプのユーザ・インタラクションに応答して、該コンピューティング・デバイスのカメラが、マルチメディア・コンテンツ・アイテムをキャプチャし、該コンピューティング・デバイスが、キャプチャされたマルチメディア・コンテンツ・アイテムを電子メッセージとして送信する工程と
を含む方法。
【請求項２】
前記カメラ・ファインダーに対する前記第１のタイプのユーザ・インタラクションを検出することが、前記カメラ・ファインダーに対するタップ・タッチ・ジェスチャを検出することを含む、請求項１に記載の方法。
【請求項３】
マルチメディア・コンテンツ・アイテムをキャプチャすることが、検出されたタップ・タッチ・ジェスチャに応答して、デジタル写真をキャプチャすることを含む、請求項２に記載の方法。
【請求項４】
キャプチャされたデジタル写真を前記通信スレッドに対して追加することをさらに含む、請求項３に記載の方法。
【請求項５】
前記カメラ・ファインダーに対する第２のタイプのユーザ・インタラクションを検出することをさらに含む、請求項１に記載の方法。
【請求項６】
前記カメラ・ファインダーに対する前記第２のタイプのユーザ・インタラクションを検出することが、前記カメラ・ファインダーに対するプレス・アンド・ホールド・タッチ・ジェスチャを検出することを含む、請求項５に記載の方法。
【請求項７】
マルチメディア・コンテンツ・アイテムをキャプチャすることが、検出されたプレス・アンド・ホールド・タッチ・ジェスチャに応答して、デジタル・ビデオをキャプチャすることを含む、請求項６に記載の方法。
【請求項８】
キャプチャされたデジタル・ビデオの持続期間が、前記検出されたプレス・アンド・ホールド・タッチ・ジェスチャの持続期間と同じである、請求項７に記載の方法。
【請求項９】
前記プレス・アンド・ホールド・タッチ・ジェスチャの検出された終了に応答して、前記キャプチャされたデジタル・ビデオを再生することが可能な再生コントロールを前記通信スレッドに対して追加することをさらに含む、請求項８に記載の方法。
【請求項１０】
方法であって、
コンピューティング・デバイスのタッチ・スクリーン・ディスプレイにメッセージング・グラフィカル・ユーザ・インターフェースを該メッセージング・グラフィカル・ユーザ・インターフェースの第１の部分における通信スレッドとともに提供する工程であって、前記通信スレッドは、ユーザと１人または複数の共同ユーザとの間で交換される複数の電子メッセージを含む、前記提供する工程と、
該コンピューティング・デバイスの少なくとも１つのプロセッサが、カメラ・ファインダー入力コントロールの選択を検出する工程と、
該カメラ・ファインダー入力コントロールの選択に応答して、該コンピューティング・デバイスのカメラを起動し、該メッセージング・グラフィカル・ユーザ・インターフェースの第２の部分内に前記コンピューティング・デバイスの前記カメラからのライブ・データ・ストリームを提供するカメラ・ファインダーを提供する工程と
を含む方法。
【請求項１１】
前記メッセージング・グラフィカル・ユーザ・インターフェースの前記第２の部分内のタップ・タッチ・ジェスチャを検出する工程と、
前記メッセージング・グラフィカル・ユーザ・インターフェースの前記第２の部分内の検出されたタップ・タッチ・ジェスチャに応答して、前記カメラ・ファインダーを介してデジタル写真をキャプチャする工程と
をさらに含む、請求項１０に記載の方法。
【請求項１２】
前記タップ・タッチ・ジェスチャに応答して、キャプチャされたデジタル写真を送信する工程と、
前記タップ・タッチ・ジェスチャに応答して、前記キャプチャされたデジタル写真を前記メッセージング・グラフィカル・ユーザ・インターフェースの前記第１の部分における前記通信スレッドに対して追加する工程と
をさらに含む、請求項１１に記載の方法。
【請求項１３】
前記メッセージング・グラフィカル・ユーザ・インターフェースの前記第２の部分内のプレス・アンド・ホールド・タッチ・ジェスチャを検出する工程と、
前記メッセージング・グラフィカル・ユーザ・インターフェースの前記第２の部分内の検出されたプレス・アンド・ホールド・タッチ・ジェスチャの持続期間中に、前記カメラ・ファインダーを介してデジタル・ビデオをキャプチャする工程と
をさらに含む、請求項１２に記載の方法。
【請求項１４】
前記プレス・アンド・ホールド・タッチ・ジェスチャの検出された終了に応答して、キャプチャされたデジタル・ビデオを送信することをさらに含む、請求項１３に記載の方法。
【請求項１５】
前記プレス・アンド・ホールド・タッチ・ジェスチャの前記検出された終了に応答して、前記キャプチャされたデジタル・ビデオを再生することが可能な再生コントロールを前記メッセージング・グラフィカル・ユーザ・インターフェースの前記第１の部分における前記通信スレッドに対して追加することをさらに含む、請求項１４に記載の方法。
【請求項１６】
前記再生コントロールに対するタップ・タッチ・ジェスチャを検出する工程と、
前記再生コントロールに対する検出されたタップ・タッチ・ジェスチャに応答して、前記メッセージング・グラフィカル・ユーザ・インターフェースの前記第１の部分における前記通信スレッドにおいて、前記キャプチャされたデジタル・ビデオを再生する工程と
をさらに含む、請求項１５に記載の方法。
【請求項１７】
複数のメッセージ入力コントロールからなるパレットからの１つのメッセージ入力コントロールの選択を検出する工程と、
検出された選択に応答して、前記メッセージング・グラフィカル・ユーザ・インターフェースの前記第２の部分から前記カメラ・ファインダーを除去する工程と
をさらに含む、請求項１６に記載の方法。
【請求項１８】
コンピュータ実行可能な命令が記憶された非一時的コンピュータ可読記憶媒体であって、該コンピュータ実行可能な命令は、プロセッサによって実行されるとき、コンピュータ・システムに、
メッセージング・グラフィカル・ユーザ・インターフェースを該メッセージング・グラフィカル・ユーザ・インターフェースの第１の部分における通信スレッドとともに提供させ、該通信スレッドは、ユーザと１人または複数の共同ユーザとの間で交換される複数の電子メッセージを含み、
カメラ・ファインダーコントロールの選択を検出させ、
該カメラ・ファインダーコントロールの選択に応答して、該メッセージング・グラフィカル・ユーザ・インターフェースの第２の部分内に前記コンピュータ・システムのカメラからのライブ・データ・ストリームを提供するカメラ・ファインダーを提供させる、非一時的コンピュータ可読記憶媒体。
【請求項１９】
コンピュータ実行可能な命令であって、実行されるとき、前記コンピュータ・システムに、
前記メッセージング・グラフィカル・ユーザ・インターフェースの前記第２の部分内のタップ・タッチ・ジェスチャを検出させ、
前記メッセージング・グラフィカル・ユーザ・インターフェースの前記第２の部分内の検出されたタップ・タッチ・ジェスチャに応答して、前記カメラ・ファインダーを介してデジタル写真をキャプチャさせ、
キャプチャされたデジタル写真を送信させ、
該キャプチャされたデジタル写真を前記メッセージング・グラフィカル・ユーザ・インターフェースの前記第１の部分における前記通信スレッドに対して追加させる、前記コンピュータ実行可能な命令をさらに含む、請求項１８に記載の非一時的コンピュータ可読記憶媒体。
【請求項２０】
コンピュータ実行可能な命令であって、実行されるとき、前記コンピュータ・システムに、
前記メッセージング・グラフィカル・ユーザ・インターフェースの前記第２の部分内のプレス・アンド・ホールド・タッチ・ジェスチャを検出させ、
前記メッセージング・グラフィカル・ユーザ・インターフェースの前記第２の部分内の検出されたプレス・アンド・ホールド・タッチ・ジェスチャの持続期間中に、前記カメラ・ファインダーを介してデジタル・ビデオをキャプチャさせ、
キャプチャされたデジタル・ビデオを送信させ、
該キャプチャされたデジタル・ビデオを再生することが可能な再生コントロールを前記メッセージング・グラフィカル・ユーザ・インターフェースの前記第１の部分における前記通信スレッドに対して追加させる、前記コンピュータ実行可能な命令をさらに含む、請求項１８に記載の非一時的コンピュータ可読記憶媒体。